(57)【特許請求の範囲】
【請求項１】
第１の基地局装置よりも小さいカバーエリアを有し、該第１の基地局装置のカバーエリアの中に存在する第２の基地局装置であって、
受信した信号の処理を行う受信系ブロックと、前記送信する信号の処理を行う送信系ブロックと、タイマと、制御手段とを有し
前記制御手段は、前記受信系ブロックおよび送信系ブロックに対し、送信系ブロックは動作を停止して受信系ブロックは第１の基地局装置に無線端末が送信する信号を受信するために動作を行うスリープモードと、送信系ブロックおよび受信系ブロックともに動作を行うアクティブモードの２つの状態を前記第２の基地局装置が遷移するよう制御し、
前記制御手段は、前記スリープモードにおいて、前記受信系ブロックが、前記第１の基地局装置に対して無線端末が送信する信号を受信すると、該信号の電力値を予め定めた閾値と比較し、無線端末が送信する信号の電力値が予め定めた閾値よりも高い場合には、前記無線端末が前記第２の基地局装置の近くに存在すると判断して、前記第２の基地局装置をアクティブモードに移行するよう制御して、前記送信系ブロックから制御信号の送信を開始するとともに前記タイマを作動し、
一定時間経過しても通信が開始されない場合には、前記送信系ブロックから送信していた制御信号を停止して前記第２の基地局装置をスリープモードに移行させるよう制御することを特徴とする第２の基地局装置。
【請求項２】
請求項１に記載の第２の基地局装置において、
前記制御手段は、前記第１の基地局装置から受信したプリアンブル信号に基づいてシステム同期をとる構成であり、
前記第１の基地局装置がプリアンブル信号送信する時間帯を予め記憶しておき、該時間帯は前記第１の基地局装置から送信される信号を受信対象とし、その他の時間帯は無線端末から送信される信号を受信対象とすることを特徴とする第２の基地局装置。
【発明の詳細な説明】
【技術分野】
【０００１】
本発明は無線通信技術に関し、特に無線通信で発生する干渉を低減する技術に関する。
【背景技術】
【０００２】
無線通信は空間を伝播する性質を持つ電波を利用した通信である。電波は建材などによって吸収・反射するため、屋内などの特定空間においては無線端末が受信可能な電波の電力が弱まってしまう。また、従来の無線通信システムは基地局装置として半径数キロメートルのエリアをカバーするマクロセル基地局装置（カバーエリアの広い大出力の基地局装置）を設置していたため、基地局装置から無線端末に通信を行う下り回線（Forward Link）では、回線品質の劣化から十分なスループットを出すことができない課題があった。また、無線端末から基地局装置への通信である上り回線（Reverse Link）では、無線端末は送信電力を上げて通信しなければならず、無線端末の消費電力が大きくなってしまう課題があった。
【０００３】
そこで、マクロセル基地局装置に加えて、小型のフェムトセル基地局装置（カバーエリアの狭い小出力の基地局装置）を自宅等の屋内に設置するシステムが注目されている。このシステムでは、無線端末にとっては距離の近いフェムトセル基地局装置にアクセスすることで、下り回線、上り回線ともにより良い電波状況での通信が可能となる利点がある。
【０００４】
【特許文献１】特開２００７−２１４８１９号公報
【発明の開示】
【発明が解決しようとする課題】
【０００５】
無線通信においては電波がぶつかり合うことで干渉が発生するため、従来から設置されているマクロセル基地局装置に加えて上述のフェムトセル基地局装置が新たに設置されると、送信される電波の数が増加し干渉が発生しやすくなると考えられる。よって、フェムトセル基地局装置の設置には干渉が発生しないように工夫が必要である。しかし、干渉の発生を防止するため利用者が家庭内のどんな場所にフェムトセル基地局装置を設置すれば良いかについては明確に規定されておらず、マクロセル基地局装置のような伝搬損などを考慮した配置設計や無線回線設計を行うことが難しい。従って、フェムトセル基地局装置の設置により干渉が多数発生し、無線通信に障害が起こる可能性がある。
【０００６】
なお、特許文献１には無線通信システムにおいて、一方が他方の通信に干渉を及ぼすことがなく、かつ他方において通信を実行する技術を開示しているが、フェムトセル基地局装置を採用した無線通信システムまでは考慮されていない。
【課題を解決するための手段】
【０００７】
上記課題を解決するため、無線端末が近くに存在するか否かを規定の条件によって判断し、近くに存在すると判断した場合に基地局装置が無線端末との通信が可能な状態にあることを示す情報を送信する基地局装置を提供する。
【発明の効果】
【０００８】
本発明によれば、マクロセル基地局装置とフェムトセル基地局装置との間で生じる干渉を低減することができる。
【発明を実施するための最良の形態】
【０００９】
以下に本発明の実施に好適な実施形態の例を詳細に説明する。ただし、本発明は本実施例に限定されるものではない。また、以下では基地局装置について、「マクロセル基地局装置」という場合、「フェムトセル基地局装置」という場合以外に、単に「基地局装置」と表記する場合があるが、この場合の「基地局装置」は、マクロセル基地局装置とフェムトセル基地局装置を含み、無線端末と通信するための基本的な能力を備えた広い意味での基地局装置を指すものとする。
【実施例１】
【００１０】
一般に、基地局装置は無線端末から送信する信号を受信することで、その無線端末が基地局装置のデータ送受信可能な範囲に存在することを確認している。また、基地局装置は無線端末と通信を確立するために、何らかの信号を送信している。例えば、同期をとるためのプリアンブル信号（プリアンブル情報ともいう）や、基地局装置の情報を知らせる制御信号（制御情報ともいう）や、着呼を知らせるページング信号は常に送信する必要があった。しかし、フェムトセルの設置場所として第１に想定される家庭内という特殊環境では、利用者が使う１日のうち特定の時間帯だけ信号が送信されていれば十分であるため、常に何らかの信号を送信する必要はない。
【００１１】
従って、要求がない限りにおいては、信号を一切送信しないスリープモードを有するフェムトセル基地局装置が有効である。スリープモードに設定されている間は、基地局装置間の干渉を時間的に分散させることが可能であり、干渉を低減することができる。ここで、本実施例においては、基地局装置について信号を送信する状態をアクティブモード（第１のモード）と定義し、信号を送信しない状態をスリープモード（第２のモード）と定義する。また、予め定められた一定の時間無線端末との通信がなされない場合に、アクティブモードからスリープモードへ設定変更することも有効である。インターネットアクセスなどパケット型の通信では、一度アクセスが行われると、特定の時間に通信が集中する特徴がある。
【００１２】
例えばＷＥＢアクセスでは、リンクを通じて次々と新しいＷＥＢページにアクセスしていくが、新しいＷＥＢページが表示される度にそのＷＥＢページの内容を読むため、数秒から数分の時間をもって新たなパケット送信の要求が出される。その度に無線端末が一度マクロセルにアクセスしてからフェムトセルにハンドオーバするシーケンスでは無駄が多く、レスポンスにも時間がかかる。そこで、一旦通信状態になった後は、一定時間アクティブの状態を続け、その後にスリープモードへ遷移する態様とする。これにより、ＷＥＢアクセスなどを行った際の利便性が向上し、課題は解決される。
【００１３】
最初に、図１を用いてフェムトセルの概要を説明する。図１はマクロセルの中に複数のフェムトセルが存在することを示している。ここで、マクロセルとは、大出力の基地局装置（以下、マクロセル基地局装置１００）がカバーするエリア（図１では大きな円で表現されている）を指し、フェムトセルとは、低出力の基地局装置（以下、フェムトセル基地局装置１０１〜１０８）がカバーするエリア（図１では小さな円で表現されている）を指す。
【００１４】
フェムトセルは低出力ながらも屋内などの限られた空間に対して信号品質の良い環境を構築することを目的としている。なお、図１には、ネットワークを構成するための装置として、マクロセルと接続する上位ネットワーク装置１１０と、フェムトセルと接続する上位ネットワーク装置１１１、それらを結びつける交換装置１１２が示されている。また、マクロセル内には無線端末１８０が存在し、この無線端末１８０は基本的にマクロセル基地局装置１００との通信が可能である。そして、フェムトセル基地局装置１０１〜１０８のカバーエリア内に入れば、そのフェムトセル基地局装置との通信も可能になる。マクロセル基地局装置１００と通信する場合には上位ネットワーク装置１１０を利用することになり、フェムトセル基地局装置１０１〜１０８と通信する場合には上位ネットワーク装置１１１を利用する態様となる。
【００１５】
図２は、マクロセル基地局装置とフェムトセル基地局装置それぞれからの信号電力を示している。ここでは、図１で直線１５０の断面上に配置された２つフェムトセル基地局装置１０３、１０４からの信号の電力値とマクロセルからの信号の電力値を合わせて表示し、比較することができる。曲線２００はマクロセル基地局装置１００からの信号の電力値を示し、曲線２０１はフェムトセル基地局装置１０４からの信号の電力値を示し、曲線２０２はフェムトセル基地局装置１０３からの信号の電力値を示している。ここで、フェムトセル基地局装置１０４はマクロセル基地局装置１００から２１００ｍ離れた地点に設置され、フェムトセル基地局装置１０３はマクロセル基地局装置１００から２１４０ｍ離れた地点に設置されているものとする。図２により、フェムトセル基地局装置が設置された地点の周辺だけで、特異的に信号の電力値が高まっていることがわかる。従って、フェムトセル基地局装置を設置することで特定のエリアに対して受信品質を改善することができることがわかる。
【００１６】
図３は、マクロセル基地局装置とフェムトセル基地局装置それぞれからの信号対干渉電力比（ＳＩＮＲ：Signal Interference Noise Ratio）を示す。ここでは、他の基地局装置からの信号を干渉とみなして信号対干渉電力比を示している。ＳＩＮＲは、各地点において、[大きな値を示す方の信号の電力値／小さな値を示す方（干渉となる方）の信号の電力値]で表される。よって、ＳＩＮＲが高ければ高いほど無線端末と基地局装置との通信が安定することになる。図３により、フェムトセル基地局装置が設置された地点の周辺（基地局との距離が２１００ｍ及び２１４０ｍの地点）で、ＳＩＮＲが高い値となることを確認できるが、その周辺では、マクロセルとの境界エリアが発生し、ＳＩＮＲが劣化する場所が見られる。従来の技術では、こうしたセル境界があっても、周波数を分割するなどしてセル間の干渉を低減する技術が盛り込まれており、セル間干渉はある程度は低減されている。
【００１７】
しかし、先に記載した通り、フェムトセル基地局装置は、電波干渉の知識のない一般ユーザが設置するもので、干渉の影響を確実に予測することができない。また、単に通信を行う通信チャネルだけでなく、同期用のプリアンブルと呼ばれるヘッダ部や、制御情報を報知する制御チャネルを含めて干渉の対象となってしまうため、１日のうちの特定の時間帯だけ使われると考えられる家庭用のフェムトセルの干渉が、常に他のセルに影響を与えることとなる。フェムトセル基地局装置からの信号は微弱であるものの、多数設置されることに伴って干渉エリアは広がり、その影響も大きくなると推定される。
【００１８】
図４は、１つのフェムトセルの送信を一定時間止めた場合の効果を示す。曲線２０３はフェムトセル基地局装置１０３及びフェムトセル基地局装置１０４が存在する場合の信号対干渉電力比を示し、曲線２０４はフェムトセル基地局装置１０３だけが存在する場合の信号対干渉電力比を示す。ここで、マクロセル基地局装置１００との距離が２０００ｍから２１００ｍのエリアに関して、ＳＩＮＲが大きく改善していることが分かる。このように、基地局装置が何も送信しない時間帯を作ることができれば、他のセルへの干渉は大幅に削減することが可能となる。フェムトセルでは、ユーザが１日の特定の時間帯だけ利用することが多いことに着目し、必要な時間に必要最低限の情報だけを送信する基地局装置とすることで、フェムトセルの干渉を低減できる。
【００１９】
一般に、基地局装置は他の基地局装置と同期をとるために必要なパイロット信号（パイロット情報ともいう）や、基地局装置に関する情報を含む制御信号（制御情報ともいう）を制御チャネルで送信している。一方、無線端末は制御信号を受信することで基地局装置を認知してアクセスすることができる。しかし、干渉を発生させないために基地局装置が信号を一切送信しない構成にしてしまうと、無線端末は通信すべき基地局装置を認知できずアクセスすることができない。そこで、本実施例のフェムトセル基地局装置は、無線端末から受信した信号を測定し、その信号の電力値が閾値以上であればスリープモード（制御信号を送信しないモード）からアクティブモード（制御信号を送信するモード）に状態遷移する機能を持つことによってこの問題を解決する。
【００２０】
図５は、必要な時間以外は制御チャネルを含めて信号の送信を行わないスリープモード状態を備えるフェムトセル基地局装置及び携帯端末のブロック図である。本実施例では、ＯＦＤＭＡ信号を処理する態様を例に挙げて説明する。フェムトセル基地局装置がスリープモードに設定されている場合、送信系ブロック４０１は信号の送信は行わないが、受信系ブロック４００により信号の受信は行う構成とする。アンテナ３０１から入ってきた信号はデュプレクサ３０２（ＤＵＰ）を経由して受信系ブロック４００に入力される。
【００２１】
受信系ブロック４００はいくつかのサブブロックで構成されている。まずデュプレクサ３０２から入力された信号は、受信ＲＦ部（ＲＦＲＸ）３０３にて適切なフィルタ処理とダウンコンバートおよびＡＤ変換処理が行われ、デジタルの信号に変換される。その後、ＣＰ除去部（ＣＰＥ）３０４でＣＰが取り除かれ、ＦＦＴサイズに加工された信号が取り出される。その信号はＦＦＴ部（ＦＦＴ）３０５にてＦＦＴ処理され、時間領域の信号から周波数領域の信号に変換される。周波数領域の信号に変換された信号はデマルチプレクサ部（ＤＭＸ）３０６によって、機能チャネルに分解され、必要なベースバンド処理により、デモッド部（ＤＭＤ）３０７において復号処理が行われる。
【００２２】
この一連の過程により受信信号のレベルを測定することが可能である。例えば、受信ＲＦ部３０３においてＲＳＳＩ（Receiver  Signal  Strength  Indicator：受信信号強度検出、または電界強度検出という。受信した電波信号の強さを数値化したものである。）を測定することができる。ＲＳＳＩは、ログアンプを使い、受信信号を直接対数値に変換し、受信電力を測定する方法を用いる。この結果を使うと、受信された信号のデシベル値での電力が判明する。その結果は制御部（ＣＯＮＴ）３０８に送られ、制御部３０８において閾値との比較判定が実施される。閾値比較において、閾値以上の値が受信された場合に、スリープモードからアクティブモードへと状態を遷移させる。
【００２３】
アクティブモードになると、制御部３０８は送信系ブロック４０１を起動する。送信する信号（制御信号を含む）は符号部（Ｄａｔａ）３１３により適切な符号化手段を用いて符号化されて生成され、さらに符号化と並行してパイロット信号生成部（Ｐｉｌｏｔ）３１４によりパイロット信号が生成される。生成された制御信号やパイロット信号は、マルチプレクサ部（ＭＵＸ）３１２において合成され、決められたタイミングでサブキャリヤに配置される。配置された信号は、逆ＦＦＴ部（ＩＦＦＴ）３１１において逆ＦＦＴ処理され、周波数領域の信号から時間領域の信号に変換される。作成された時間領域の信号は、ＣＰ挿入部（ＣＰＩ）３１０にてＣＰが付加される。ＣＰが付加された時間領域の情報は、送信ＲＦ部（ＲＦＴＸ）３０９にて、ＤＡ変換、アップコンバート処理、フィルタ処理が行われ、ＲＦ送信信号として完成する。このＲＦ信号は、デュプレクサ３０２を介してアンテナ３０１から無線端末等に送られる。
【００２４】
本実施例においては、フェムトセル基地局装置が受信系ブロック４００で受信信号のレベルを測定し、それを閾値と比較し、その結果に応じて送信系の起動を判断することをポイントとしている。なお、受信信号のレベルを測定する手段は、様々な方法が考えられるが、その方法に依存せず、スリープモードとアクティブモードとを有し、受信した信号のレベルに応じてスリープモードとアクティブモードを切り替える態様であれば良い。
【００２５】
また、本実施例では信号レベルの測定方法としてＲＳＳＩを例に挙げたが、これに限定する必要はない。例えば、上記では説明を省略したが、受信系ブロック４００内には伝搬路で受けた位相回転や振幅変動による影響を軽減するため検波処理が行われている。この検波処理には、伝搬路を推定する必要がある。伝搬路推定は、無線端末が送信するパイロット信号などを元に行われており、推定された伝搬路は、受信レベルに関係する値を持つ。したがって、この結果を応用することで、受信信号のレベルを測定することが可能である。具体的には、推定された時間、周波数に関する伝搬路を平均処理して平均受信電力を算出し、この値を用いて閾値判定する。また、無線端末１８０は、無線端末全体を制御する制御部１８１、種々のメニューを表示し、利用者の操作や指で押下されたキー入力を受け付ける操作部１８２と、様々な情報を記憶する記憶部１８３と、基地局や他の無線端末と通信する（データの送受信、通話機能を有する）通信部１８４とを有する。
【００２６】
図６は、受信信号電力と、送信系の出力の関係を示す図である。縦軸に電力値、横軸に時間をとっている。縦軸では下から上に向かって大きな値へ変化していき、横軸では左から右に向かって時間が経過していくことを示している。曲線５００はフェムトセル基地局装置がアンテナ３０１を介して受信する信号の電力値を示し、破線５０１はフェムトセル基地局装置が予め有する閾値を示し、曲線５０２はフェムトセル基地局装置が送信する信号の電力値を示す。
【００２７】
フェムトセル基地局装置は時間がｔ１に達するまでは破線５０１よりも小さな電力値の信号を受信する。そして、ｔ１に達したとき、受信する信号の電力値が急激に大きくなって、閾値を超えている。このとき、フェムトセル基地局装置の制御部３０８は送信系ブロック４０１の起動を指示する。制御部３０８の指示に基づいて送信系ブロック４０１は起動され、曲線５０２に示すように信号の送信を開始する。
【００２８】
その後、時間がｔ２に達すると受信した信号の電力が急激に小さくなっている。フェムトセル基地局装置は受信系ブロック４００により受信した信号の電力が閾値より下がっていることを検知するが、その検知と共に送信する信号の電力値を下げてしまうのではなく、一定時間５０３が経過するまで電力値を保つ構成にする。これにより、ＷＥＢへのアクセスなど、データの送信を一旦開始すると、間欠的に送信を続けることが多いデータ通信の特性にも対応することができる。例えば、送信系ブロック４０１による送信信号の電力値を下げスリープモードに遷移してしまうと、再度信号を送信する際に、スリープモードからアクティブモードへの変更に時間がかかるため起動の遅れが発生してしまうが、上述の工夫によりそれを防ぐことができる。なお、スリープモードでは信号を一切送信しないこと（送信信号の電力値を０にする）を基本構成とするが、干渉が大きくならない程度に小さな信号を送信する（送信信号の電力値を０ではなく、ある一定値に保つ）構成としても一定の効果が得られる。
【００２９】
図８はフェムトセル基地局装置の動作フローを示すフローチャート図である。フェムトセル基地局装置は起動されると受信系ブロック４０１を起動し、スリープモードに設定して無線端末からの信号を待ち受ける（ステップ１０００）。受信信号の閾値判定から信号が受信されたと認識すると、送信系の起動を開始する（ステップ１００１）。まず、プリアンブル信号（パイロット信号及び制御信号を含む送信信号）を送信する（ステップ１００２）。
【００３０】
そして、無線端末からの通信要求あるいはハンドオーバ要求を待つ（ステップ１００３）。無線端末から要求があると、基地局装置はそれに応じて通信状態となる。通信が終了すると（ステップ１００４）と、送信する信号の電力値を一定の値以上に保ち（ヒステリシス状態にあるとも言う）（ステップ１００５）、プリアンブルの送信を停止し、スリープモードとなる（ステップ１００６）。もし、ステップ１００５で送信する信号の電力値を一定の値以上に保たせている間に次の通信要求があった場合には、再度通信状態へと遷移する。
【００３１】
図９はマクロセル基地局装置や無線端末を含むフローを示すシーケンス図である。マクロセル基地局装置は常時アクティブ状態に設定されており、マクロセル基地局装置がカバーするエリア（マクロセル）内にある無線端末は、マクロセルの管理下に置かれている。
【００３２】
マクロセル基地局装置はパイロット信号および制御チャネルを無線端末に対して送信し、無線端末は少なくとも間欠的にはこれらの情報を受信している（ステップ２０００）。ページングがかかると、無線端末は接続要求信号（アクセスチャネル）をマクロセル基地局装置へ送信して、接続要求を行う（ステップ２００１）。
【００３３】
マクロセル基地局装置は、接続要求信号を受信すると、接続要求に対する承認を通知する承認信号（グラントチャネル）を無線端末に対して送信する（ステップ２００３）。その結果、マクロセル基地局装置と無線端末との通信が確立する（ステップ２００４）。ステップ２００４では、図１の無線端末１８０は通信部１８４によりマクロセル基地局装置１００と通信し、上位ネットワーク装置１１０を用いてネットワークと接続することで音声通話やデータ通信を行う。
【００３４】
一方、無線端末の近くにフェムトセル基地局装置が存在しフェムトセルが形成されていたならば、フェムトセル基地局装置も接続要求信号を受信することができる。フェムトセル基地局装置は接続要求信号を受信すると、その信号の電力値が予め設定した閾値よりも高いか否かを判断する（ステップ２００２）。ここで、受信信号の電力が閾値よりも高いことを確認する（無線端末がフェムトセル基地局装置の近くに存在することの確認）と、フェムトセル基地局装置はパイロット信号および制御信号を無線端末に対し送信して、フェムトセル基地局装置が無線端末の近くにあることを知らせる（ステップ２００５）。フェムトセル基地局装置は無線端末の近くにあることを知らせる情報を無線端末１８０に送信するとともに、接続先をマクロセル基地局装置からフェムトセル基地局装置に変更させる旨の指示を送信することができる。
【００３５】
無線端末は、フェムトセル基地局装置からパイロットおよび制御信号を受信して、フェムトセル内にあることを認識する（ステップ２００６）。そして、無線端末はマクロセル基地局装置及びフェムトセル基地局装置に対しハンドオーバを要求する（ステップ２００７）。このハンドオーバが実行されれば、無線端末とフェムトセル基地局装置との通信が開始される（ステップ２００８）。ステップ２００８では、図１の無線端末１８０が例えばフェムトセル基地局装置１０３のカバーエリア内に移動した状態で、通信部１８４によりフェムトセル基地局装置１０３と通信し、上位ネットワーク装置１１１を用いてネットワークと接続することで音声通話やデータ通信を行う。
【００３６】
通信が終了後、タイマが作動し、一定時間経過しても新たな通信が開始されない場合には、フェムトセル基地局装置はパイロット信号および制御信号の送信を打ち切る（ステップ２００９）。これにより、必要な時間帯にだけパイロット信号および制御信号の送信を行うフェムトセル基地局装置の運用が可能となり、課題としていた干渉の発生を低減することが可能となる。上記説明では、受信した信号の電力値が決められた閾値より高くなった場合に、図６で説明したように一気に出力を上げる方法を説明したが、図３で示すようにフェムトセルの周辺には干渉エリアが発生するため、その影響は段階的である方が望ましい。よって、図７に示すように、送信電力を上げる方法としては、少しずつ電力値を上げていく方法も考えられる。
【００３７】
図７の曲線５０４はフェムトセル基地局装置が送信する信号の電力値を示し、ｔ１よりも長い時間で少しずつ電力値を上げている。また、上記説明では、フェムトセルの範囲内にいる無線端末がページングを受け、新規発呼を行う例で説明したが、それに制限されない。例えば、図１０に示すように既に無線端末がマクロセル基地局装置と通信中であったとしても、その無線端末がフェムトセルの範囲内に入り、受信電力の閾値を越える場合であっても応用可能である。この場合は、通信している間に無線端末から送信される信号をフェムトセル基地局装置が検知して、送信系ブロック４０１が起動される。
【００３８】
また、図９では無線端末がマクロセル基地局装置と接続された後にフェムトセル基地局装置と接続される態様を説明したが、無線端末がマクロセル基地局装置と接続される前にフェムトセル基地局装置と接続する態様であってもよい。例えば、無線端末がマクロセル基地局装置からの承認信号よりもフェムトセル基地局装置からの信号を先に受信した場合である。その場合、ステップ２００３、ステップ２００４を省くことになる。
【００３９】
図１０では、図９のフローに新たにステップＡが挿入されている。ステップＡは無線端末が通信中に信号を送信するものである。ステップＡの後に、フェムトセル基地局装置はその信号の電力値が予め設定した閾値よりも高いか否かを判断する（ステップ２００２）。その他のステップは図９と同様である。
【００４０】
また、図１１のように、既にフェムトセルがアクティブ状態であって、パイロット信号および制御情報を送信しているところに、通信中の無線端末が通信可能な範囲内に入ることで、フェムトセルにハンドオーバしてくる場合にも対応可能である。図１１では、ステップＢでフェムトセル基地局装置がパイロット信号および制御信号の送信をした後に、ステップＣで通信が開始されている。その後、無線端末は、フェムトセル基地局装置からパイロットおよび制御信号を受信して、フェムトセル内にあることを認識する（ステップ２００６）。その他のステップは図９と同様である。
【実施例２】
【００４１】
基地局装置は他の基地局装置との干渉を回避するため、システムにフレーム同期していることが望ましい。すなわち、無線端末がフェムトセル基地局装置と通信する際には、マクロセル基地局装置と通信するときと比較して、無線端末が遅延することなくデータ受信できることが望ましい。そこで、フェムトセル基地局装置はマクロセル基地局装置と同期をとっている必要がある。基地局装置間の同期には、ＧＰＳを用いる手法が知られているが、フェムトセルのように安価であることを要求される基地局装置にＧＰＳを搭載することは難しい。そこで、他のマクロセル基地局装置から送信される信号を利用してシステム同期を取る方法が有効である。
【００４２】
図１２は、ＯＦＤＭＡシステムのフレームフォーマットの例を示す。下り（Forward Link）では、フレーム先頭にハッチで示す先頭サブフレーム３００１が配置されている。このサブフレームはプリアンブルと呼ばれる既知のシンボルパターンと制御情報から構成されている。無線端末はこのプリアンブルを間欠的に受信することで、システムへの同期と、ページングなどの情報を取得している。プリアンブルに続くサブフレームは通信チャネル用の信号を運ぶ単位である。それに対応する上り（Reverse Link）のフレーム構成は、プリアンブルに相当する部分が不要であるため、全てが通信チャネル用の信号を運ぶフレームとなっている。例えば３ＧＰＰ２で規格化されているＵＭＢシステムでは、上りのサブフレームのうち、下りの先頭サブフレーム３００１に対応するフレームは上りと下りとで対応がとれるように、サブフレーム３００３を通常のフレーム３００４よりも長く設定している。サブフレーム３００３は、サブフレーム３００１へのデータを受信したことを示す返事を示すＡＣＫなどで構成される。
【００４３】
そこで、ＵＭＢに代表される上記の構成をもったシステムでは、フェムトセルのエアーチェック（信号を受信したか否かの確認）は、図１２の最下図のように行う。フェムトセル基地局装置の制御部３０８は、マクロセル基地局装置がプリアンブルを送信する時間帯を予め記憶しておく。そして、その時間帯には受信対象をＦＬ（Forward Link）３００５と設定して下りの周波数の信号（マクロセル基地局装置から送信される信号）を傍聴し、近接するマクロセル基地局装置への同期を保持する。
【００４４】
そして、その他の時間帯には、受信対象をＲＬ（Reverse Link）３００６と設定して上り周波数の信号（無線端末から送信される信号）を傍聴し、スリープモードであれば、アクティブモードになるかの閾値判定を行う。既にアクティブモードであれば、スリープモードに移行するかの判定、あるいは接続している無線端末からの信号の受信処理を行う。このように、本実施例におけるフェムトセル基地局装置は、サブフレーム３００３で示されるリソースを配下の無線端末には割当てないことを特徴とする。これにより、通信中であっても、他の基地局装置（マクロセル基地局装置）が送信するプリアンブルの傍聴が可能となり、同期を保持することができる。
【００４５】
また、この特徴に関して、フェムトセル基地局装置が他の基地局装置から信号が送信されるタイミングに基づいて無線端末からの信号及び基地局装置からの信号のどちらを受信するかを決める（のどちらを受信するかのスケジュールを決定する）と考えることもできる。また、この特徴に関して、フェムトセル基地局装置が他の基地局装置から信号が送信される時間帯においては、基地局装置からの信号と比較して無線端末からの信号を優先的に受信すると考えることも可能である。
【００４６】
なお、フェムトセル基地局装置は、傍受しようとする周波数を変えるなどにより、無線端末からの信号を受信するかマクロセル基地局装置からの信号を受信するかについて自在に設定変更することが可能である。また、フェムトセル基地局装置は、傍受しようとするプリアンブルの周波数と、フェムトセル基地局装置がプリアンブルを送信する周波数を変えるなどにより、自分が送信した信号とマクロセル基地局装置からの信号の分離を容易とする設定を行うことが可能である。
【００４７】
また、フェムトセル基地局装置は、傍受しようとするプリアンブルの送信時間と、フェムトセル基地局装置がプリアンブルの送信時間を変えるなどにより、自分が送信した信号とマクロセル基地局装置からの信号の分離を容易とする設定を行うことが可能である。これには、フェムトセル基地局装置が、本来ならばプリアンブルを送信するべきタイミングにおいて、プリアンブルの送信を休止し、その休止したタイミングでマクロセルのプリアンブルを傍受する動作も含まれる。
【図面の簡単な説明】
【００４８】
【図１】フェムトセルの概念図。
【図２】マクロセル基地局装置及びフェムトセル基地局装置それぞれからの信号の電力値電力を示す図。
【図３】マクロセル基地局装置及びフェムトセル基地局装置それぞれからの信号対干渉電力を示す図。
【図４】１つのフェムトセルを時間的に送信を止めた場合の効果を示す図。
【図５】基地局装置及び無線端末の構成図。
【図６】受信信号電力と閾値、送信電力の関係図。
【図７】受信信号電力と閾値、送信電力の関係図。
【図８】フェムトセル基地局装置のフローチャート。
【図９】フェムトセル基地局装置、無線端末及びマクロセル基地局装置との連携を示す図。
【図１０】フェムトセル基地局装置、無線端末及びマクロセル基地局装置との連携を示す図。
【図１１】フェムトセル基地局装置、無線端末及びマクロセル基地局装置との連携を示す図。
【図１２】フェムトセル基地局装置が信号を傍聴する方法を示す図。
【符号の説明】
【００４９】
１００…マクロセル基地局装置、１０１〜１０８…フェムトセル基地局装置、１８０・・・無線端末、３０１…アンテナ、３０２…デュプレクサ、３０３…受信ＲＦ部、３０４…ＣＰ除去部、３０５…ＦＦＴ部、３０６…デマルチプレクサ部、３０７…デモッド部、３０８…制御部、３０９…送信ＲＦ部、３１０…ＣＰ挿入部、３１１…逆ＦＦＴ部（ＩＦＦＴ）、３１２…マルチプレクサ部、３１３…符号部、４００…受信系ブロック、４０１…送信系ブロック。
【図１】
0005256825.tif 000002
【図２】
0005256825.tif 000003
【図３】
0005256825.tif 000004
【図４】
0005256825.tif 000005
【図５】
0005256825.tif 000006
【図６】
0005256825.tif 000007
【図７】
0005256825.tif 000008
【図８】
0005256825.tif 000009
【図９】
0005256825.tif 000010
【図１０】
0005256825.tif 000011
【図１１】
0005256825.tif 000012
【図１２】
0005256825.tif 000013